(57)【要約】【課題】汚染水等に含まれる放射性ストロンチウム又はラジウムイオンを効率よく除去することができる汚染水等の処理方法、及びそれに使用される不溶化処理材を提供する。【解決手段】ストロンチウムイオン又はラジウムイオンを含有する汚染水に対して、水溶性バリウム塩とバリウムイオンと不溶性の塩を形成するアニオンを生じる硫酸ナトリウムのような水溶性塩を添加して、バリウムイオンと硫酸イオン等のアニオンが反応して生じる硫酸バリウム等の沈殿によりストロンチウムイオン又はラジウムイオンを共沈させて除去することを特徴とする放射性金属イオン含有汚染水の処理方法。【選択図】なし【特許請求の範囲】
【請求項１】
ストロンチウムイオン及びラジウムイオンから選ばれる少なくとも１種の金属イオンと、バリウムイオンと不溶性の塩を形成するアニオンを含有する汚染水に対して、水溶性バリウム塩を添加して、バリウムイオンと該アニオンが反応して生じるバリウム塩の沈殿により該金属イオンを共沈させて除去することを特徴とする放射性金属イオン含有汚染水の処理方法。
【請求項２】
アニオンが硫酸イオン又は炭酸イオンである請求項１に記載の放射性金属イオン含有汚染水の処理方法。
【請求項３】
金属イオンがストロンチウムイオンであり、アニオンが硫酸イオンである請求項１に記載の放射性金属イオン含有汚染水の処理方法。
【請求項４】
ストロンチウムイオン及びラジウムイオンから選ばれる少なくとも１種の金属イオンを含有する汚染水に対して、水溶性バリウム塩とバリウムイオンと不溶性の塩を形成するアニオンを生じる水溶性塩を添加して、バリウムイオンと該アニオンが反応して生じるバリウム塩の沈殿により該金属イオンを共沈させて除去することを特徴とする放射性金属イオン含有汚染水の処理方法。
【請求項５】
アニオンが硫酸イオン又は炭酸イオンである請求項３に記載の放射性金属イオン含有汚染水の処理方法。
【請求項６】
金属イオンがストロンチウムイオンであり、アニオンが硫酸イオンである請求項５に記載の放射性金属イオン含有汚染水の処理方法。
【請求項７】
水溶性バリウム塩と、バリウムイオンと不溶性の塩を形成するアニオンを生じる水溶性塩の混合物からなることを特徴とするストロンチウムイオン及びラジウムイオンから選ばれる放射性金属イオンの不溶化処理材。
【請求項８】
水溶性塩が水溶性硫酸塩又は水溶性炭酸塩である請求項７に記載の放射性金属イオンの不溶化処理材。
【請求項９】
水溶性バリウム塩中のバリウム含有量と、水溶性硫酸塩又は水溶性炭酸塩中の硫酸イオン又は炭酸イオン含有量のモル比が１：１〜１：１０である請求項８に記載の放射性金属イオンの不溶化処理材。
【請求項１０】
水溶性バリウム塩が塩化バリウムであり、水溶性硫酸塩が硫酸ナトリウムである請求項８又は９に記載の放射性金属イオンの不溶化処理材。
【請求項１１】
放射性金属イオン含有汚染水の処理用である請求項７〜１０のいずれかに記載の放射性金属イオンの不溶化処理材。
【請求項１２】
放射性金属イオンを含有する汚泥又は土壌の処理用である請求項７〜１０のいずれかに記載の放射性金属イオンの不溶化処理材。
【請求項１３】
放射性金属イオンがストロンチウムイオンである請求項７〜１０のいずれかに記載の放射性金属イオンの不溶化処理材。
【発明の詳細な説明】
【技術分野】
【０００１】
本発明は、放射性ストロンチウム又はラジウムを含む汚染水又は汚泥等の処理方法及びそれに使用される不溶化処理材に関するものである。
【背景技術】
【０００２】
放射性金属イオンで汚染された汚染水等に含まれる金属イオンには多くの種類があるが、ストロンチウム及びラジウムはアルカリ土類金属であるため、体内に取り込まれると骨に蓄積されやすく、その除去が望まれる。また、海水等に含まれる場合であっても、それが魚介類から人体へ取り込まれる恐れがあることから、その除去が望まれる。
【０００３】
ストロンチウムを含有する廃水からストロンチウムを分離除去する手段としては、チタン酸系吸着剤等の吸着剤を用いて処理する方法や、ゼオライト系鉱物や層状ケイ酸塩系鉱物等を用いて吸着除去する方法が知られている。
【０００４】
しかし、放射性ストロンチウムを含む廃液中には、通常他の陽イオンも含む場合が多く、吸着材で放射性ストロンチウムを吸着しようとしても、他の陽イオンが吸着してしまい、放射性ストロンチウムを効率よく吸着除去することは困難である。
【０００５】
特許文献１には、放射性ストロンチウム含有廃液に、ストロンチウム塩を添加し、次いで、炭酸塩、炭酸ガス又は硫酸塩を添加して、ストロンチウムを含む沈殿物を生成させ、これを分離する処理方法が開示されている。しかし、硫酸ストロンチウムのような塩は比較的溶解度が高く、十分に除去することは困難である。
【０００６】
特許文献2には、放射性金属イオンとアルカリ土類金属を含有する汚染水に、炭酸塩を含む凝集剤を加えて、炭酸カルシウムを沈殿させ、更に液体に吸着材を接触させてストロンチウムを除去することが記載されている。この方法では、ストロンチウムは炭酸カルシウムの沈殿中に捉えられる他、吸着材にも捉えられるので、吸着処理した後の廃棄物を大量に処理することが必要となる。
【０００７】
本発明者らは、非特許文献1においてバライト共沈を用いたセレン酸・亜セレン酸の除去方法を報告した。
【先行技術文献】
【特許文献】
【０００８】
【特許文献１】特開2015-200505号公報
【特許文献２】特開2016-156797号公報
【非特許文献】
【０００９】
【非特許文献１】第25回環境化学討論会、口頭発表、3C-01（新潟、2016年）
【発明の概要】
【発明が解決しようとする課題】
【００１０】
本発明は、汚染水等に含まれる放射性ストロンチウム又はラジウムイオンを効率よく除去することができる汚染水等の処理方法、及びそれに使用される不溶化処理材を提供することを目的とする。有利には、汚染水等に含まれる放射性ストロンチウムが低濃度であっても、これを効率よく除去することができる処理方法、及び処理材を提供する。
【課題を解決するための手段】
【００１１】
本発明者らは、放射性ストロンチウムを含む汚染水に、水溶性バリウム塩を添加し、更にバリウムイオンと不溶性の塩を形成するアニオンを存在させると、汚染水に含まれる放射性ストロンチウムが効率よく不溶性バリウム塩と共沈することを見出した。そして、不溶性バリウム塩の中でもバライトは水への溶解度が低く、容易に沈殿し、多形を持たず、広い温度、ｐH等環境条件において安定に存在する鉱物であるため、放射性ストロンチウムの除去に有効であることを見出し、本発明を完成した。
【００１２】
本発明は、ストロンチウムイオン及びラジウムイオンから選ばれる少なくとも１種の金属イオンと、バリウムイオンと不溶性の塩を形成するアニオンを含有する汚染水に対して、水溶性バリウム塩を添加して、バリウムイオンと該アニオンが反応して生じるバリウム塩の沈殿により該金属イオンを共沈させて除去することを特徴とする放射性金属イオン含有汚染水の処理方法である。
【００１３】
本発明の他の態様は、ストロンチウムイオン及びラジウムイオンから選ばれる少なくとも１種の金属イオンを含有する汚染水に対して、水溶性バリウム塩とバリウムイオンと不溶性の塩を形成するアニオンを生じる水溶性塩を添加して、バリウムイオンと該アニオンが反応して生じるバリウム塩の沈殿により該金属イオンを共沈させて除去することを特徴とする放射性金属イオン含有汚染水の処理方法である。
【００１４】
上記放射性金属イオン含有汚染水の処理方法において、金属イオンとしてはストロンチウムイオン、及びラジウムイオンから選ばれる少なくとも１種であり、好ましくはストロンチウムイオンである。アニオンとしては、バリウムイオンと反応して不溶性塩を形成するイオンであればよいが、不溶性塩の溶解度が低く、取り扱い容易な硫酸イオン又は炭酸イオンが適するが、好ましくは、硫酸イオンである。
【００１５】
また、本発明は、水溶性バリウム塩と、バリウムイオンと不溶性の塩を形成するアニオンを生じる水溶性塩の混合物からなることを特徴とするストロンチウムイオン及びラジウムイオンから選ばれる放射性金属イオンの不溶化処理材である。
【００１６】
上記不溶化処理材において、水溶性塩としては水溶性硫酸塩又は水溶性炭酸塩が好ましく、より好ましくは水溶性硫酸塩である。水溶性硫酸塩としては、アルカリ金属の硫酸塩が適するが、好ましくは硫酸ナトリウムである。また、水溶性バリウム塩としては、溶解してバリウムを生成するものであればよいが、好ましくは塩化バリウムである。
【００１７】
水溶性バリウム塩中のバリウム含有量と、水溶性硫酸塩又は水溶性炭酸塩中の硫酸イオン又は炭酸イオン含有量のモル比は、１：１〜１：１０の範囲とすることがよい。
【００１８】
上記不溶化処理材は、放射性金属イオン含有汚染水の処理用、又は放射性金属イオンを含有する汚泥又は土壌の処理用に使用することができる。ここで、放射性金属イオンとしては、ストロンチウムイオンであることができる。
【発明の効果】
【００１９】
本発明の放射性金属イオン含有汚染水の処理方法によれば、放射性ストロンチウム等の放射性金属イオンが低濃度であっても、良好に放射性金属イオンを効率よく除去分離することが可能となる。また、簡便な処理方法とすることができる。また、本発明の不溶化処理材は、放射性金属イオン含有汚染水又は汚泥又は土壌に配合することにより、放射性金属イオンを不溶性のバリウム塩と共沈した構造の不溶物とすることができる。そして、この不溶物は高度に安定で、低溶解度であるため、安全に分離や隔離をすることができる。
【図面の簡単な説明】
【００２０】
【図１】陽イオンの硫酸バリウムと炭酸カルシウムへの共沈時におけるイオン半径と分配係数の関係を示す図である。
【発明を実施するための形態】
【００２１】
以下、本発明を説明する。
本発明の放射性金属イオン含有汚染水の処理方法において、汚染水はストロンチウムイオン及びラジウムイオンから選ばれる少なくとも１種の金属イオンを含む。汚染水は、放射性物質を扱う施設から排出される排水であることができる他、上記金属イオンで汚染された海水、河川水、地下水、池等の水であることができる。また、汚泥や土壌等に含まれる汚染水であることができる。
【００２２】
放射性金属イオン含有汚染水には、水溶性バリウム塩を添加して、バリウムイオンを不溶性の塩として沈殿させる。このためには、バリウムイオンと反応して不溶性の塩を形成するアニオンが汚染水中に存在するか、存在しない場合はこのアニオンを生じる水溶性塩を添加する。
【００２３】
海水等のある種の汚染水は、炭酸イオンや硫酸イオン等のバリウムイオンと不溶性の塩を形成するアニオンを含む場合がある。このような場合は、上記水溶性塩の添加は不要であるが、これを含まない場合や、含んでも添加する水溶性バリウム塩に対して少量である場合は、水溶性塩を添加する。不溶性の塩を形成するアニオンの量又は水溶性塩の量は、バリウムイオンの溶出を可及的に防止するため、バリウムイオンが完全に反応して不溶性塩となるに十分な量又は過剰量とすることがよい。また、アニオンが炭酸イオンの場合は、炭酸ガスを吹き込んでもよい。水溶性塩としては、アニオンが硫酸イオン等の2価のアニオンの場合、その量はバリウムイオンの１〜１０倍モルとすることがよく、好ましくは２〜６倍モル、より好ましくは２〜４倍モルである。
【００２４】
また、バリウム（バリウムイオン又は水溶性バリウム塩の量から計算されるバリウム）の添加量は、ストロンチウムに対し、２０重量倍、好ましくは５０重量倍以上とすることにより、ストロンチウム除去率を５０％以上、好ましくは９０％以上、更に好ましくは９５％以上とすることができる。しかし、バリウムの添加量をあまりにも過剰とすることは、処理すべき沈殿物の量が増えるため、２００重量倍以下、好ましくは１００重量倍以下とすることがよい。また、共沈を十分に行うためには、不溶性のバリウム塩の濃度を十分に高くすることが重要であり、過飽和度（IAP/Ksp）を３以上、好ましくは4以上、更に好ましくは4.5以上とすることが好ましい。過飽和度を4以上とすることにより、９５％以上のストロンチウム除去率が期待できるが、バリウムの添加量をあまりにも過剰とすることは上記のような問題を生じるので、6以下程度とすることがよい。
【００２５】
上記アニオンとして、不溶性のバリウム塩となった場合の溶解度が低いものであればよいが、入手の容易性や安全性の点から硫酸イオン又は炭酸イオンが好ましい。硫酸イオンは、バリウムイオンと反応して、安定な不溶性のバライトを生成し、沈殿する際に共存するストロンチウムイオン又はラジウムイオンと効果的に共沈する。
【００２６】
上記水溶性バリウム塩や水溶性塩は、固体として汚染水に添加してもよく、水に溶解した溶液として添加してもよく、更には水溶性バリウム塩や水溶性塩の粉末を混合した状態で添加してもよい。しかし、バリウムイオンと不溶性の塩を形成するアニオンとの反応の実質的全部は汚染水に添加後に起こるようにして、共沈を生じさせる。有利には、上記放射性金属イオンの不溶化処理材を使用することができる。
【００２７】
ストロンチウムイオン等の放射性金属イオンは、不溶性のバリウム塩と共沈するので、これをろ過、静置分離、遠心分離等の手段により分離する。
【００２８】
本発明のストロンチウムイオン及びラジウムイオンから選ばれる放射性金属イオンの不溶化処理材は、水溶性バリウム塩と、バリウムイオンと不溶性の塩を形成するアニオンを生じる水溶性塩の混合物からなる。この混合物は、粉末状の混合物であることが好ましく、粉末状であれば汚染水中に添加したとき、速やかに溶解、反応して沈殿し、水溶性バリウム塩又はバリウムイオンの漏出を防止することができる。
【００２９】
上記水溶性としては、バリウムイオンと不溶性の塩を形成するアニオンを含む塩であればよいが、水溶性硫酸塩又は水溶性炭酸塩が適する。水溶性硫酸塩としては、アルカリ金属の硫酸塩や硫酸マグネシウム、硫酸鉄、硫酸アルミニウム等があるが、硫酸ナトリウムが適する。水溶性炭酸塩としては、アルカリ金属の炭酸塩、重炭酸塩等があるが、炭酸ナトリウムが適する。また、水溶性バリウム塩としては、水溶性の硝酸塩、塩化物、酢酸塩等があるが、入手が容易で、環境に悪影響を与えることが少ない塩化バリウムが適する。
【００３０】
水溶性バリウム塩中のバリウム含有量と、水溶性硫酸塩又は水溶性炭酸塩中の硫酸イオンや炭酸イオン等のアニオンの含有量のモル比は、１：１〜１：１０であることがよく、好ましくは１：２〜１：６である。上記モル比は、アニオンが２価のイオンである場合であり、それ以外の価数のイオンである場合は、理論量に換算して計算される。アニオンを過剰に使用することにより、水溶性バリウム塩又はバリウムイオンの環境中への漏出を防止することができる。
【００３１】
上記放射性金属イオンの不溶化処理材は、放射性金属イオン含有汚染水の処理用に使用される他、放射性金属イオンを含有する汚泥又は土壌の処理用としても使用することができる。
【００３２】
放射性金属イオンとしては、ラジウムイオン、ストロンチウムイオンであるが、ストロンチウムイオンの不溶化に優れる。なお、放射性金属イオンには、非放射性の同位体が含まれていてもよく、ストロンチウムイオンの場合は殆どが非放射性の同位体であってもよい。
【００３３】
汚染水を処理する場合は、海水等の汚染水を容器やタンク等に入れることなく、そこに上記放射性金属イオンの不溶化処理材を添加して、沈殿を生成させてもよいが、汚染水を容器やタンク等に入れ攪拌、混合等して沈殿を生成させることが好ましい。温度や圧力条件は、常温、常圧でよいが、沈殿の溶解度が高まる高温条件は望まれない。また、水溶性炭酸塩を用いる場合は、酸性条件では生成した沈殿物が再溶解するのを防止するため、ｐH7以上に保持することが望ましい。
【００３４】
水溶性硫酸塩を用いる場合は、沈殿として生成するバライトがｐHやその他の条件において安定であるため、ｐHが低くても溶解度は上がらないなど優れる点が多い。また、放射性金属イオンを共沈により除去する能力も高い。
【００３５】
陽イオンの硫酸バリウム（バライト）と炭酸カルシウム（カルサイト）への共沈時におけるイオン半径（カルサイトとの比較のため6配位のイオン半径を基準）と分配係数の関係を図１に示す。
置換されるイオンの半径 (6配位 Ca 1.08 A、Ba 1.44 A)を境にして取り込みの傾向の逆転が確認される。そのため、イオン半径の大きな元素はバライトを、またイオン半径の小さな元素はカルサイトというように、対象とする元素の鉱物に応じた取り込みやすさの違いを用いることで、これら元素の溶液中からのより効果的な除去が可能となる。
ストロンチウムのイオン半径は1.21 Aでカルシウムとバリウムの中間に位置するため、従来の処理法で用いられてきた炭酸カルシウムではなく硫酸バリウム共沈法により効果的に除去できる。
硫酸バリウムは、水への溶解度が非常に低く、多形を持たず、広いEh、pH、温度、圧力範囲で沈殿し、自然界においても安定な鉱物であるバライトとして産出するものであり、次のような特徴を有する。
1)  水への溶解度が低く容易に沈殿、2)  Sr、Ra、Pbを特徴的に取り込み沈殿、3)  高密度で、沈殿し易い、4)  再溶解せず安定に存在
【００３６】
そして、次のような効果を奏する。
1）高過飽和度の条件で硫酸バリウムの沈殿を生成することで溶液中Srの95%以上の除去が純水・人工海水の条件ともに可能、2)  天然海水を用いた条件でも室内系と同様の結果が得られる、3)硫酸バリウム共沈では、海水からでもストロンチウムがほぼ完全に除去可能、4)  過飽和度が十分であれば、どのような汚染水でもほぼ完全にSrを除去できる、5)  硫酸バリウム共沈により、水中のストロンチウムを効率的に除去可能、6)硫酸バリウムは高い安定性を持つため、一度捕捉されたストロンチウムが再度溶出する可能性は低い、7)  海水のような塩濃度の高い水に対しても有効である、8）  沈殿物を地層処分することが可能である。
なお、水酸化鉄は酸性条件では使えない、還元環境では溶解等の問題があり、カルサイトは酸性条件では使えない、水に溶け易い等の問題があるが、バライトは上記問題を解決する。
【００３７】
土壌の処理用として使用する場合は、土壌が乾燥土壌である場合は、水分を添加して含水土壌とする。不溶化処理材を、放射性金属イオンを含有する汚泥又は土壌に添加、混合することにより、汚泥又は土壌に含まれる水分により不溶化処理材の成分が溶解して、イオンとなって、それらが反応して不溶性の塩となると同時に、放射性金属イオンを共沈させて不溶化又は固定化する。
【実施例】
【００３８】
本発明を次の実施例及び試験例により説明するが、これらに限定されるものではない。
使用した薬剤は、次のとおりである。
塩化ストロンチウム；和光純薬工業社製、特級試薬
硫酸ナトリウム；関東化学社製、特級試薬
炭酸水素ナトリウム；和光純薬工業社製、特級試薬
塩化バリウム二水和物；同上
塩化ナトリウム；同上
塩化マグネシウム六水和物；同上
塩化カルシウム二水和物；同上
塩化カリウム；同上
臭化カリウム；同上
ホウ酸；同上
フッ化ナトリウム；同上
【００３９】
実施例１
純水中に、塩化ストロンチウム、共存物質として硫酸ナトリウム及び炭酸水素ナトリウムを加え、ストロンチウム濃度が８．７６ｍｇ/ｌ、硫酸イオン濃度が８６５ｍｇ/ｌ、ナトリウムイオン濃度が１２４１ｍｇ/ｌ、塩素イオン濃度が３．５ｍｇ/ｌ、炭酸イオン濃度が１３２ｍｇ/ｌとなる模擬汚染水を用意した。
この模擬汚染水５０ｍｌを各遠沈管に取り、塩化バリウム二水和物を処理材として用いてバリウムイオン濃度が３．７ｍｇ/ｌ、７．６ｍｇ/ｌ、１８．４ｍｇ/ｌ、３６．２ｍｇ/ｌ、８０．０ｍｇ/ｌ、５５８．２ｍｇ/ｌ、又は１８６０．７ｍｇ/ｌとなるように添加し、室温で振蕩機（恒温振蕩水槽 (ユニサーモシェイカー) EYELA NTS-4000 BL）を用いて24時間攪拌を行った。攪拌後、ディスクフィルター（ADVANTEC  DISMIC 25HP-0.20um）を用いてろ過し、ろ液中のストロンチウム濃度をICP-MS（Agilent 7700x ICP-MS）を用いて測定した。結果を表１に示す。
バリウムイオンの添加により、海水と同程度の硫酸イオン含有する溶液中のストロンチウムを除去可能であった。
【００４０】
【表１】
2018205182.tif 000002
【００４１】
実施例２
純水中に、塩化ストロンチウム、硫酸ナトリウム、塩化ナトリウム、塩化マグネシウム六水和物、塩化カルシウム二水和物及び炭酸水素ナトリウムを加え、ストロンチウム濃度が１１．８３ｍｇ/ｌ、硫酸イオン濃度が８６５ｍｇ/ｌ、ナトリウムイオン濃度が１０１６１ｍｇ/ｌ、マグネシウムイオン濃度が１２１５ mg/L、カルシウムイオン濃度が３８４mg/L、塩素イオン濃度が１８０４５ｍｇ/ｌ、炭酸イオン濃度が１３２ｍｇ/ｌとなるように調整した人工海水Aを用意した。
この人工海水Aを５０ｍｌ各遠沈管に取り、処理材として塩化バリウム二水和物を用いてバリウムイオン濃度が７．６ｍｇ/ｌ、１８．４ｍｇ/ｌ、３６．２ｍｇ/ｌ、８０．０ｍｇ/ｌ、２８０．５ｍｇ/ｌ、又は１８６０．７ｍｇ/ｌとなるように添加し、室温で振蕩機を用いて２４時間攪拌を行った。攪拌後、ディスクフィルターを用いてろ過し、ろ液中のストロンチウム濃度をICP-MSを用いて測定した。結果を表２に示す。
バリウムイオンの添加により、海水と同程度の硫酸イオン含有する溶液中のストロンチウムを除去可能であった。
【００４２】
【表２】
2018205182.tif 000003
【００４３】
実施例３
汚染水として、お台場海浜公園で採取した天然海水（ストロンチウム含有濃度５．７４ｍｇ/ｌ)を用意した。
この海水を５０ｍｌ遠沈管に取り、処理材として塩化バリウム二水和物を用いてバリウムイオン濃度が５５８．２ｍｇ/ｌとなるように添加し、室温で振蕩機を用いて２４時間攪拌を行った。攪拌後、ディスクフィルターを用いてろ過し、ろ液中のストロンチウム濃度をICP-MSを用いて測定した。結果を表３に示す。
バリウムイオンの添加により、海水中のストロンチウムを除去可能であった。
【００４４】
【表３】
2018205182.tif 000004
【００４５】
実施例４
塩化バリウム二水和物と硫酸ナトリウムを、市販の紛体混合装置を用いて表４に示す割合で混合攪拌して処理材１〜５を作製した。
【００４６】
【表４】
2018205182.tif 000005
【００４７】
実施例５
純水１リットルあたり、塩化マグネシウム六水和物１１１１１．５ｍｇ、塩化カルシウム二水和物１５３５ｍｇ、塩化ストロンチウム六水和物４２．５ｍｇ、塩化カリウム６９４．５ｍｇ、炭酸水素ナトリウム２０１ｍｇ、臭化カリウム１００．５ｍｇ、ホウ酸２７ｍｇ、フッ化ナトリウム３ｍｇ、塩化ナトリウム２４５３４ｍｇ、硫酸ナトリウム無水物４０９４ｍｇをそれぞれ溶解して、pH 8.3、ストロンチウムイオン濃度が１４ｍｇ/ｌの人工海水Bを作成した。
この人工海水B  １００ｍｌ中に実施例４で作成した処理材１〜５をそれぞれ０．２ｇ添加し、２５℃で８時間攪拌し、接触させた。２４時間後、溶液をミリポアフィルターでろ過し、ろ液中のストロンチウム濃度をICP-MSを用いて測定した。結果を表５に示す。
【００４８】
【表５】
2018205182.tif 000006
【００４９】
比較例１
表６に示す割合で、各種の特級試薬（和光純薬工業社製）単独又は混合して処理材11〜20を作製した。
【００５０】
【表６】
2018205182.tif 000007
【００５１】
比較例２
実施例５で使用したと同じ人工海水Bを使用し、この汚染水１００ｍｌ中に処理材11〜20をそれぞれ１ｇまたは２ｇ添加し、２５℃で８時間攪拌し、接触させた。２４時間後、溶液をミリポアフィルターでろ過し、ろ液中のストロンチウム濃度をICP-MSを用いて測定した。結果を表７に示す。
【００５２】
【表７】
2018205182.tif 000008
【図１】
2018205182.tif 000009